(57)【要約】【課題】記録媒体に記録された映像データをモバイル映像データ再生機器へ転送する際の所要時間を短縮する。【解決手段】第１及び第２のエンコード部は、それぞれ異なる圧縮率で映像データＶＤ１をエンコードする。エンコードされたデータは大容量ストレージ部４にそれぞれ別の領域Ａ及びＡ’に記録される。モニタ１０２による再生が指示されると、制御部７は領域Ａに記録された映像データを再生する。一方、モバイル映像データ再生機器への転送が指示されると、制御部７は領域Ａ’に記録された映像データをモバイル映像データ再生機器へ転送する。【選択図】    図１
2004266509.tif 000002
【特許請求の範囲】
【請求項１】
入力された映像データを第１の圧縮率でエンコードする第１エンコード部と、
前記入力された映像データを第２の圧縮率でエンコードする第２エンコード部と、
前記第１エンコード部によりエンコードされた前記映像データと、前記第２エンコード部によりエンコードされた前記映像データとを、関連付けて格納する格納部と、
を具備することを特徴とする映像データ記録装置。
【請求項２】
前記格納部に格納された前記映像データを映像ファイルとして管理する管理手段と、
モバイル機器に対する前記映像ファイルの転送が指示された場合、前記第２の圧縮率で圧縮された前記映像データを該モバイル機器へ転送する転送手段を更に具備することを特徴とする請求項１記載の映像データ記録装置。
【請求項３】
前記格納部に格納された前記映像データを映像ファイルとして管理する管理手段と、
モバイル機器に適用されるメモリカードに対する前記映像ファイルの転送が指示された場合、前記第２の圧縮率で圧縮された前記映像データを該モバイル機器へ転送する転送手段を更に具備することを特徴とする請求項１記載の映像データ記録装置。
【請求項４】
前記格納部に格納された前記映像データを映像ファイルとして管理する管理手段と、
前記格納部に格納された同一内容の前記映像データの映像ファイルを１つのファイルとして表示する第１表示手段と、
前記格納部に格納された同一内容の前記映像データの映像ファイルを別々のファイルとして表示する第２表示手段と、
前記第１及び第２の表示手段のうち一方に表示を指示する手段を更に具備することを特徴とする請求項１記載の映像データ記録装置。
【請求項５】
入力された映像データを第１の圧縮率でエンコードするステップと、
前記入力された映像データを第２の圧縮率でエンコードするステップと、
前記第１の圧縮率及び第２の圧縮率でエンコードされた前記映像データを、関連付けて記録するステップと、
モバイル機器への転送が指示された場合、前記第２の圧縮率でエンコードされた前記映像データを該モバイル機器へ転送するステップと、
を具備することを特徴とする映像データ記録方法。
【発明の詳細な説明】
【０００１】
【発明の属する技術分野】
本発明はデジタル音声映像データを互いに異なる圧縮率で圧縮して記録する記録装置に関する。
【０００２】
【従来の技術】
音声映像データを記録媒体に記録する場合、一般に音声映像データは圧縮される。音声映像データをＨＤＤ（ｈａｒｄ  ｄｉｓｋ  ｄｒｉｖｅ）やＤＶＤ（ｄｉｇｉｔａｌ  ｖｅｒｓａｔｉｌｅ  ｄｉｓｋ）に記録する場合と、ＣＤ又はメモリカードに記録する場合とでは、一般に異なる圧縮率のエンコード方式が適用される。特開２００２−３３０４０１号公報には、入力信号の種類あるいはデジタル放送の画質などに応じて、互いに記録密度が異なる光ディスクに対して、それぞれ最適なストリーム形式で音声映像データを記録再生する技術が開示されている。
【０００３】
従来、携帯可能ないわゆるモバイル映像データ再生機器にデジタル音声映像データを記録する場合、例えばＰＣ（ｐｅｒｓｏｎａｌ  ｃｏｍｐｕｔｅｒ）のＨＤＤなど大容量記録媒体に記録された高画質デジタル音声映像データを、高圧縮音声映像データに変換して該モバイル映像データ再生機器に記録する。これは、モバイル音声映像データ再生機器は小型であることが必要であるという商品の性格上、記録容量を自由に大きくすることはできないからである。
【０００４】
一般にモバイル映像データ再生機器には、メモリカード等の記録容量が比較的小さな情報記録媒体が適用されている。そのためモバイル映像データ再生機器には、再生する音声映像データとして低品質小容量な音声映像データを必要とする。一方、持ち運ぶことを前提としない録画機器で録画を行う場合、音声映像データは高画質大容量データとして記録される。
【０００５】
【特許文献１】
特開２００２−３３０４０１号（第９頁、図１２）
【０００６】
【発明が解決しようとする課題】
音声映像データをモバイル映像データ再生機器に転送するには、記録媒体に記録された高画質音声映像データを実時間で再生する時間、又は最短でも高圧縮デジタル音声映像データに変換するための時間が必要である。
【０００７】
このように従来は、高画質大容量な音声映像データをモバイル映像データ再生機器へ転送するとき、低品質小容量な音声映像データへ変換しながら転送するので、転送に加えて変換する為の時間が必要となり、多くの時間がかかっていた。
【０００８】
従って本発明は、音声映像データをモバイル音声映像データ再生機器へ転送するための所要時間を短縮することを目的とする。
【０００９】
【課題を解決するための手段】
この発明は、大容量のストレージ部に保存された高画質大容量（低圧縮）な音声映像データを予め低画質低容量（高圧縮）なデータに変換しておくことで、モバイル映像データ再生機器へ敏速に転送できるようなる。また、モバイル映像データ再生機器のみのために低品質小容量な音声映像データで保存しておくと、高画質で鑑賞または保存したいという要求を満たすことができない。従って、変換前の高画質大容量（低圧縮）な映像データもストレージ部に保存しておき、同じ映像データを品質と容量が異なる２種類のデータとして保存する。
【００１０】
本発明の一実施形態に係る映像データ記録装置は、入力された映像データを第１の圧縮率でエンコードする第１エンコード部と、前記入力された映像データを第２の圧縮率でエンコードする第２エンコード部と、前記第１エンコード部によりエンコードされた前記映像データと、前記第２エンコード部によりエンコードされた前記映像データとを、関連付けて格納する格納部とを具備する。
【００１１】
【発明の実施の形態】
以下、図面を参照しながら本発明の実施の形態について詳細に説明する。
【００１２】
図１は本発明の一実施形態に係る記録再生装置１００ａの構成を示すブロック図である。
【００１３】
制御部７は本発明によるプログラムを格納するＲＯＭ、該プログラムを実行するＣＰＵ、及びワークエリアとして使用されるＲＡＭを含み、本装置１００ａを総合的に制御する。尚、上記プログラムを大容量ストレージ部４に格納し、必要に応じて上記ＲＡＭに展開して実行しても良い。
【００１４】
ＴＶチューナ等のチューナ１０１で受信した音声映像信号Ｖｉｎは、アナログデジタルコンバータ（ＡＤＣ）１によりデジタル音声映像データ（以下単に映像データという）ＶＤ１に変換され、第１エンコーダ２及び第２エンコーダ３に供給される。第１エンコーダ２は、映像データＶＤ１を高画質映像データに圧縮（エンコード）して映像データＶＤ２に変換し、大容量ストレージ部４の領域Ａに保存する。第１エンコーダ２は映像データＶＤ１を例えばＭＰＥＧ２方式に基づいて圧縮する。又第１エンコーダ２は、映像データＶＤ２に変換した１つのコンテンツ（番組）を１つのファイル（データ量が大きい場合は複数のファイル）として、大容量ストレージ部４の領域Ａに保存する。大容量ストレージ部４は例えばＨＤＤである。
【００１５】
第２エンコーダ３は映像データＶＤ１を高圧縮映像データＶＤ３に圧縮して映像データＶＤ３に変換し、大容量ストレージ部４の領域Ａ’に保存する。第２エンコーダ３は映像データＶＤ１を例えばＭＰＥＧ４方式に基づいて圧縮する。第２エンコーダ３も又、映像データＶＤ２に変換した１つのコンテンツを１つのファイル（データ量が大きい場合は複数のファイル）として、大容量ストレージ部４の領域Ａ’に保存する。
【００１６】
図２はこの記録再生装置１００ａの記録動作を示すフローチャートである。制御部７はステップＳＴ１０１のように、ＡＤＣ１により音声映像信号ＶｉｎをＡ／Ｄ変換させ、映像データＶＤ１をステップＳＴ１０２〜ＳＴ１０５のように、第１及び第２のエンコード部２、３による同時並行処理にて圧縮及び記録する。
【００１７】
デコード部５はストレージ部４の領域Ａに保存された映像データＶＤ２をデコードし、デコードされた映像データＶＤ４をデジタルアナログコンバータ（ＤＡＣ）６に供給する。ＤＡＣ６は映像データＶＤ４をアナログの音声映像信号Ｖｏｕｔに変換する。音声映像信号ＶｏｕｔはＴＶモニタ等のモニタ１０２に供給され音声及び映像が再生される。尚、本発明の記録再生装置はチューナ１０１及び／又はモニタ１０２を含む装置であっても良い。
【００１８】
大容量ストレージ部４に保存した映像データを元の画像に近い画質で再生する場合、制御部７は領域Ａに保存した映像データをデコード部５にて順次読み出しながら再生する。大容量ストレージ部４に保存した映像データを、容量が限られたストレージサイズのモバイル映像データ再生機器１０３で再生する場合、制御部７は領域Ａ’に保存された予め高圧縮された映像データＶＤ６を転送する。
【００１９】
モバイル映像データ再生機器１０３は携帯型音声映像データ再生機器であり、一般に映像データを記録するためのフラッシュメモリ等で構成されるメモリカード、記録された映像データを再生する再生部、映像を表示するためのＬＣＤ、音声を再現するためのスピーカあるいはヘッドフォン端子を含む。
【００２０】
一般にモバイル映像データ再生機器は映像データを提供した装置から切り離して使用されるので、映像データを記録する場合は目的の映像データ全体をデコード及び転送する必要がある。しかし本実施形態では目的のデータ全体を転送する短い時間だけ待てば、モバイル映像データ再生機器１０３を装置１００ａから切り離し持ち運ぶことができる。尚、上記メモリカードを装置１００ａに装着し、領域Ａ’の高圧縮された映像データＶＤ３を該メモリカードに記録し、該メモリカードをモバイル映像データ再生機器に装着して音声及び映像を再生しても良い。
【００２１】
このように本実施形態によれば、予めモバイル機器用にデータが圧縮されているので、モバイル機器にて映像データを持ち出すときに、データを転送するだけの短い時間待つだけで良い。又、高画質大容量なファイルと低品質小容量のファイルの２つのファイルを同時に持たなければならないが、ファイルの圧縮の程度や方式にもよるが、低品質小容量のファイルは高画質大容量なファイルの概ね２０分の１程度であるので容量を圧迫しない程度であると考えられる。更に、高画質大容量で記録されたファイルも保存されるので高画質のまま鑑賞したい、保存したい、加工したいといった要求も満たすことができる。
【００２２】
次に本発明の第２の実施形態を説明する。
【００２３】
図３は第２の実施形態に係る記録再生装置１００ｂの構成を示すブロック図である。
【００２４】
記録再生装置１００ｂでは、記録再生装置１００ａの第１エンコーダ２及び第２エンコーダ３がエンコード部９に統合されている。エンコード部９は高画質映像データへの圧縮及び高圧縮映像データへの圧縮を異なるタイミングで行う。
【００２５】
図４は記録再生装置１００ｂの記録動作を示すフローチャートである。ＡＤＣ１によりＡ／Ｄ変換された映像データＶＤ１は、エンコード部９により例えばＭＰＥＧ２方式に基づいて、高画質映像データＶＤ２に圧縮（エンコード）され大容量ストレージ部４の領域Ａに保存される（ＳＴ２０１、ＳＴ２０２、ＳＴ２０３）。次にエンコード部９は、領域Ａに保存されたＭＰＥＧ２の映像データＶＤ２を読み出し、例えばＭＰＥＧ４方式に基づいて高圧縮映像データＶＤ３に変換し、大容量ストレージ部４の領域Ａ’に保存する（ＳＴ２０４、ＳＴ２０５）。
【００２６】
以上のように第２の実施形態では、一度高画質な映像データとして大容量ストレージ部へ保存してから、高圧縮映像データへの変換を行う。こうすることでエンコード部９はリアルタイムで２種類の圧縮処理をする必要が無くなるので、安価な装置を提供できる。
【００２７】
図５は第３の実施形態に係る記録再生装置１００ｃの構成を示すブロック図である。
【００２８】
記録再生装置１００ｃでは、記録再生装置１００ａの第１エンコーダ２及び第２エンコーダ３がエンコード部９に統合され、画像メモリ１１が設けられている。
【００２９】
図６は記録再生装置１００ｃの記録動作を示すフローチャートである。ＡＤＣ１によりＡ／Ｄ変換された映像データＶＤ１は、制御部７の制御の下に所定量単位でメモリ１１の領域Ｍ１及び領域Ｍ２に、１コンテンツの記録終了まで交互に記録される。
【００３０】
エンコード部９は先ず領域Ｍ１に記録された映像データを例えばＭＰＥＧ２方式に基づいて、高画質映像データに圧縮（エンコード）して、大容量ストレージ部４の領域Ａに保存する（ＳＴ３０２、ＳＴ３０３）。次にエンコード部９は領域Ｍ１に記録された映像データを例えばＭＰＥＧ４方式に基づいて、高圧縮映像データに圧縮して、大容量ストレージ部４の領域Ａ’に保存する（ＳＴ３０４、ＳＴ３０５）。
【００３１】
ステップＳＴ３０６ではコンテンツの記録終了か否か判断され、記録終了でなければフローはステップＳＴ３０２へ戻り、エンコード部９は領域Ｍ２に記録された映像データを高画質映像データに圧縮して、大容量ストレージ部４の領域Ａに保存する（ＳＴ３０２、ＳＴ３０３）。次にエンコード部９は領域Ｍ２に記録された映像データを高圧縮映像データに圧縮して、大容量ストレージ部４の領域Ａ’に保存する（ＳＴ３０４、ＳＴ３０５）。このように、ステップＳＴ３０２〜ＳＴ３０５の処理が繰り返されて、内容が同一で圧縮率の異なるコンテンツデータが大容量ストレージ部４に記録される。
【００３２】
以上のように第３の実施形態では、一度高画質な映像データとして大容量ストレージ部へ保存しながら高圧縮映像データへの圧縮を行う。こうすることでエンコード部９は同時に２種類の圧縮処理をする必要が無くなり、更にＡ／Ｄ変換された映像データを直接高圧縮映像データに圧縮することができる。
【００３３】
尚、上記実施形態では、エンコード部９はハードウエアとして説明したが、制御部７の処理速度が十分に高速であれば、エンコード部９をソフトウエアとして構成することができ、更なる装置のコストダウンが見込まれる。
【００３４】
本発明による記録再生装置のファイル管理に関する実施形態について説明する。
【００３５】
本発明では、同じ内容の高画質な映像データと高圧縮な映像データが大容量ストレージ部に記録されので、これらを別物として扱うとユーザ操作が煩雑となる。従って本実施形態では管理テーブルを作成し、これらを同一のデータとして扱えるようにする。
【００３６】
図７はストレージ部４に映像ファイルとして記録されたコンテンツの管理テーブル１０を示す。管理テーブル１０は１０ａ及び１０ｂからなり、映像ファイル（コンテンツ）のリストをモニタ１０２に表示する場合は、図７（ｂ）のように管理テーブル１０ａがリストとして表示される。ユーザは管理テーブル１０ａを参照して、ストレージ部４に記録されたコンテンツの再生又はモバイル機器への転送を指示する。
【００３７】
図８はストレージ部４に記録されたコンテンツの再生及び転送処理を示すフローチャートである。ここでユーザは、モニタ１０２に表示された管理テーブル１０ａを参照してコンテンツを選択し、再生、ダビング等の指示を操作部（図示されず）を介して制御部７に与える。
【００３８】
制御部７はユーザから指示を受けると、ＳＴ４０１のようにユーザにより選択されたコンテンツを判断する（ここでは「Ａ＿ｖｉｄｅｏ」が選択されているものとする）。次に制御部７はモニタ１０２による映像データの再生が指示されているか判断する（ＳＴ４０２）。モニタ１０２による再生が指示されている場合、制御部７はストレージ部の領域Ａに記録されている高画質映像データ（Ａ＿ｖｉｄｅｏ．ＭＰＥＧ２）を読み出し、デコード部５でデコードし、ＤＡＣ６によりアナログ信号に変換し、モニタ１０２に表示する。
【００３９】
ステップＳＴ４０５のように、他の大容量ストレージ部へのダビングが指示されている場合、制御部７はステップＳＴ４０６のように、ストレージ部の領域Ａに記録されている高画質映像データ（Ａ＿ｖｉｄｅｏ．ＭＰＥＧ２）を読み出し、他の大容量ストレージ部へ転送する。ここで他の大容量ストレージ部とは、装置に内蔵あるいは外付けされたＤＶＤドライブ等の記録装置（図示されず）を示す。
【００４０】
このようにデータを管理することで、ユーザはどのファイルが高圧縮な映像データで、どのファイルが高画質な映像データなのかを意識せずに、再生あるいはモバイル機器への転送等をすることができる。つまり、装置の使い勝手が向上する。
【００４１】
尚、本発明は高画質大容量データと低画質小容量データを１つのファイルにし、論理的に２つのファイルとして見せる方式も含む。この場合の１つのファイルとは、再生時間が長いコンテンツを管理等の都合でファイルサイズ又は時間単位で分割されていても、連続した一つのコンテンツとして扱う場合も含む。
【００４２】
つまりこの場合、ファイルリストの表示をユーザにより指示された場合、制御部７は図７の管理テーブル１０全体又は１０ｂをモニタ１０２に表示し、ユーザによる如何なるファイルの選択も可能とする。これにより、例えば高圧縮な映像データを他の大容量ストレージ部に転送することができる。
【００４３】
【発明の効果】
以上説明したように本発明によれば、モバイル用の映像データ再生機器に映像データを転送するときに、高画質大容量なファイルから低画質小容量のファイルに変換する時間を省き、純粋にファイル転送の短い時間で処理を済ませることができる。
【図面の簡単な説明】
【図１】本発明の一実施形態に係る記録再生装置１００ａの構成を示すブロック図である。
【図２】記録再生装置１００ａの記録動作を示すフローチャートである。
【図３】第２の実施形態に係る記録再生装置１００ｂの構成を示すブロック図である。
【図４】記録再生装置１００ｂの記録動作を示すフローチャートである。
【図５】第３の実施形態に係る記録再生装置１００ｃの構成を示すブロック図である。
【図６】記録再生装置１００ｃの記録動作の変形例を示すフローチャートである。
【図７】ストレージ部４に記録されたデータファイルを管理するための管理テーブル１０を示す。
【図８】ストレージ部４に記録されたデータファイルの再生及び転送処理を示すフローチャートである。
【符号の説明】
１…アナログデジタル変換器、２…第１エンコード部、３…第２エンコード部、４…大容量ストレージ部、５…デコード部、６…デジタルアナログ変換器、７…制御部
【図１】
2004266509.tif 000003
【図２】
2004266509.tif 000004
【図３】
2004266509.tif 000005
【図４】
2004266509.tif 000006
【図５】
2004266509.tif 000007
【図６】
2004266509.tif 000008
【図７】
2004266509.tif 000009
【図８】
2004266509.tif 000010